(57)【要約】【課題】ワンタッチダイヤルや短縮番号ダイヤルなど予め相手方の電話番号をテーブルに記憶しておいて、ＩＰ電話回線を介して発呼するときに記憶された電話番号にポーズが挿入されていても、通信エラーを発生することなく正常に発信することができる。【解決手段】ファクシミリ装置２０の主制御部１は、図３の短縮番号テーブル登録処理において、使用回線がＩＰ電話回線であるときに（図３のステップＳ１２でＮＯ、ステップＳ１３でＮＯ）入力された相手方の電話番号においてポーズがあるとき（ステップＳ１６でＹＥＳ）当該ポーズを実質的に削除してその使用回線とともにＲＡＭ７内の短縮番号テーブル７ａに登録して記憶する。【選択図】図３
2005130035.tif 000002
【特許請求の範囲】
【請求項１】
相手方の電話番号を番号テーブルとして登録して記憶して上記番号テーブルにおける相手方の電話番号に基づいて発信する通信端末装置において、
上記相手方の電話番号を登録するときに、使用回線がＩＰ電話回線であるとき、入力された相手方の電話番号におけるポーズを実質的に削除して上記番号テーブルに記憶するように制御する制御手段を備えたことを特徴とする通信端末装置。
【請求項２】
相手方の電話番号を番号テーブルとして登録して記憶して上記番号テーブルにおける相手方の電話番号に基づいて発信する通信端末装置において、
使用回線がＩＰ電話回線であるとき、上記番号テーブルから読み出した相手方の電話番号におけるポーズを実質的に削除して発信するように制御する制御手段を備えたことを特徴とする通信端末装置。
【請求項３】
上記制御手段は、上記番号テーブルから読み出した相手方の電話番号におけるポーズのポーズ時間を一時的に所定のしきい値時間以下に設定することを特徴とする請求項２記載の通信端末装置。
【請求項４】
上記しきい値時間は４秒又は０秒であることを特徴とする請求項３記載の通信端末装置。
【請求項５】
上記制御手段は、入力された相手方の電話番号においてポーズがあるか否かを検出し、上記ポーズがあるときに上記ポーズのポーズ時間を実質的に削除することを特徴とする請求項１乃至４のうちのいずれか１つに記載の通信端末装置。
【請求項６】
入力された相手方の電話番号に基づいて相手方の通信端末装置に対してＩＰ電話回線を介して発信するか否かを検出する検出手段をさらに備えたことを特徴とする請求項１乃至５のうちのいずれか１つに記載の通信端末装置。
【発明の詳細な説明】
【技術分野】
【０００１】
本発明は、ダイヤルする電話番号におけるポーズを処理する機能を有する、例えばファクシミリ装置などの通信端末装置に関する。
【背景技術】
【０００２】
昨今、ＩＰ電話が急速に普及して既存の電話機が簡単に接続できるようになっている。ＩＰ電話システムについては、技術的には未解決な部分もあるが、ＩＰ電話回線を介してファクシミリ送信する場合もあるようである。
【０００３】
【特許文献１】特開２０００−０９２２３０号公報。
【発明の開示】
【発明が解決しようとする課題】
【０００４】
一方で、ＩＰ電話での発呼時には、ＮＴＴなどの電気通信事業者の従来の公衆電話網の電話回線を使った発呼とはタイミングが異なり、特に、桁間のポーズに制限がある。しかしながら、例えばワンタッチ等に登録されている場合において、これからＩＰ電話回線を経由して発呼するのか、あるいは一般公衆電話網の電話回線に切り替えて発呼するのかが特定できないという問題点があった。
【０００５】
例えば、自動的に回線を選択し、回線に合致した適切な発呼が可能であり、ユーザーが回線の種別を意識することなく簡単に使用することができ、しかも誤発呼を確実に防止するために、特許文献１では、「ユーザーは発呼する電話番号の先頭に０及びポーズデータを挿入するか否かにより使用が外線であるか内線であるかを指示する。この接続回線の指示を判定し（特許文献１の図１のＳ３）、内線発呼の指示であれば、空き内線が生じるまで待ち（Ｓ４）、入力された番号をそのまま用いて発呼する（Ｓ５）。外線発呼の指示であれば、空き回線が内線の場合（Ｓ１１）は入力番号をそのまま用いて発呼し（Ｓ１１）、一方、空き回線が外線の場合（Ｓ１２）は入力番号から０及びポーズデータを削除して発呼する（Ｓ１３）。発呼の際、発呼に用いる番号、及び回線の別は操作パネルに表示する。」ことが開示されている。しかしながら、当該特許文献１では、上述の問題点を解決することができない。
【０００６】
本発明の目的は以上の問題点を解決し、ワンタッチダイヤルや短縮番号ダイヤルなど予め相手方の電話番号をテーブルに記憶しておいて、登録入力時に相手方の電話番号にポーズが挿入されても（もしくはＩＰ電話回線を介して発呼するときに記憶された電話番号にポーズが挿入されていても）通信エラーを発生することなく正常に発信することができる、例えばファクシミリ装置などの通信端末装置を提供することにある。
【課題を解決するための手段】
【０００７】
第１の発明に係る通信端末装置は、相手方の電話番号を番号テーブルとして登録して記憶して上記番号テーブルにおける相手方の電話番号に基づいて発信する通信端末装置において、
上記相手方の電話番号を登録するときに、使用回線がＩＰ電話回線であるとき、入力された相手方の電話番号におけるポーズを実質的に削除して上記番号テーブルに記憶するように制御する制御手段を備えたことを特徴とする。
【０００８】
第２の発明に係る通信端末装置は、相手方の電話番号を番号テーブルとして登録して記憶して上記番号テーブルにおける相手方の電話番号に基づいて発信する通信端末装置において、
使用回線がＩＰ電話回線であるとき、上記番号テーブルから読み出した相手方の電話番号におけるポーズを実質的に削除して発信するように制御する制御手段を備えたことを特徴とする。
【０００９】
上記通信端末装置において、上記制御手段は、上記番号テーブルから読み出した相手方の電話番号におけるポーズのポーズ時間を一時的に所定のしきい値時間以下に設定することを特徴とする。ここで、上記しきい値時間は好ましくは４秒又は０秒であることを特徴とする。
【００１０】
また、上記通信端末装置において、上記制御手段は、入力された相手方の電話番号においてポーズがあるか否かを検出し、上記ポーズがあるときに上記ポーズのポーズ時間を実質的に削除することを特徴とする。
【００１１】
さらに、上記通信端末装置において、入力された相手方の電話番号に基づいて相手方の通信端末装置に対してＩＰ電話回線を介して発信するか否かを検出する検出手段をさらに備えたことを特徴とする。
【発明の効果】
【００１２】
第１の発明に係る通信端末装置によれば、相手方の電話番号を番号テーブルとして登録して記憶して上記番号テーブルにおける相手方の電話番号に基づいて発信する通信端末装置において、上記相手方の電話番号を登録するときに、使用回線がＩＰ電話回線であるとき、入力された相手方の電話番号におけるポーズを実質的に削除して上記番号テーブルに記憶するように制御する制御手段を備える。従って、上記番号テーブルへの登録時にポーズが入力されていても、使用回線がＩＰ電話回線であるとき、入力された相手方の電話番号におけるポーズを実質的に削除するので、ＩＰ電話回線を介して発呼するときに通信エラーを発生することなく正常に相手方の通信端末装置に対して発信することができる。
【００１３】
また、第２の発明に係る通信端末装置によれば、相手方の電話番号を番号テーブルとして登録して記憶して上記番号テーブルにおける相手方の電話番号に基づいて発信する通信端末装置において、使用回線がＩＰ電話回線であるとき、上記番号テーブルから読み出した相手方の電話番号におけるポーズを実質的に削除して発信するように制御する。従って、上記番号テーブルにおける相手方の電話番号においてポーズが登録されていても、ＩＰ電話回線での発信時に、上記番号テーブルから読み出した相手方の電話番号におけるポーズを実質的に削除する。従って、上記番号テーブルの相手方の電話番号においてポーズが登録されていても、使用回線がＩＰ電話回線であるとき、読み出した相手方の電話番号におけるポーズを実質的に削除するので、ＩＰ電話回線を介して発呼するときに通信エラーを発生することなく正常に相手方の通信端末装置に対して発信することができる。
【発明を実施するための最良の形態】
【００１４】
以下、図面を参照して本発明に係る実施形態について説明する。
【００１５】
＜実施形態＞
図１は、本発明に係る実施形態である、ダイヤルする電話番号におけるポーズを処理する機能を有するファクシミリ装置２０の構成を示すブロック図である。
【００１６】
この実施形態に係るファクシミリ装置２０の主制御部１は、図３の短縮番号テーブル登録処理において、使用回線がＩＰ電話回線であるときに（図３のステップＳ１２でＮＯ、ステップＳ１３でＮＯ）入力された相手方の電話番号においてポーズがあるとき（ステップＳ１６でＹＥＳ）当該ポーズを実質的に削除してその使用回線とともにＲＡＭ７内の短縮番号テーブル７ａに登録して記憶することを特徴としている。なお、入力された相手方の電話番号中の「ポーズ」は操作部５の例えばテンキー以外のポーズキーを用いて入力される。
【００１７】
図１において、ファクシミリ装置２０は、従来のＧ３方式等のファクシミリ通信機能を備えるとともに、ダイヤルする電話番号におけるポーズを処理する機能を備えている。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナで原稿を読み取り、白黒２値に変換したドットイメージデータを出力する。画像記録部３は電子写真方式等のプリンタ装置であり、他のファクシミリ装置からファクシミリ通信により受信したイメージデータをハードコピーとしてプリントアウトして記録する。表示部４は、液晶表示装置（ＬＣＤ）又はＣＲＴディスプレイ等の表示装置であり、当該ファクシミリ装置２０の動作状態を表示したり、送信すべき原稿のイメージデータ、及び受信したイメージデータの表示を行う。
【００１８】
操作部５は、当該ファクシミリ装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００１９】
ＲＯＭ６は、当該ファクシミリ装置２０の動作に必要であって主制御部１によって実行される種々のソフトウェアのプログラムを予め格納し、ここで、当該プログラムは、少なくとも図３の短縮番号テーブル登録処理、及び図４の発信処理のプログラムを含む。ＲＡＭ７は、ＳＲＡＭ又はフラッシュメモリ等で構成され、主制御部１のワーキングエリアとして使用されてプログラムの実行時に発生する一時的なデータを記憶する。また、ＲＡＭ７は短縮番号テーブル７ａを備える。ここで、短縮番号テーブル７ａは、図２にその一例を示すように、短縮番号毎に、電話番号、名称、使用回線（ＩＰ電話回線又は一般公衆電話回線）を格納している。なお、短縮番号テーブル７ａに代えて、ワンタッチに対応して相手方の電話番号を格納するワンタッチダイヤルテーブルを同様に設けてもよい。なお、ＲＡＭ７としてフラッシュメモリを使用した場合には、停電、装置の移動等のために電源が遮断された場合にもそのデータの内容が失われない。画像メモリ８はＤＲＡＭ等で構成され、送信すべきイメージデータ又は受信したイメージデータを記憶する。なお、ＲＡＭ７及び画像メモリ８をハードディスクメモリで構成してもよい。
【００２０】
ファックスモデム１０は、公衆電話回線Ｌに接続され、通常のファクシミリ通信用のファックスモデムの機能を有するモデムであり、ＦＳＫ信号として受信される発信電話番号情報のデータを復調して主制御部１に出力する。ＮＣＵ（ネットワーク制御回路：Network Control Unit）１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Digital Service Unit）を介して、ベースバンド伝送方式のデジタル回線（例えば、ＩＳＤＮ回線）に接続するようにしてもよい。
【００２１】
以上のように構成された本実施形態のファクシミリ装置２０は、通常のＧ３方式等のファクシミリ通信機能に加えて、ダイヤルする電話番号におけるポーズを処理する機能を有している。ファクシミリ通信機能において、画像読取部２により読み取られたドットイメージデータはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアによりイメージデータに復号化されて画像記録部３からハードコピーとして出力される。なお、画像メモリ８はイメージデータを必要に応じて記憶し、また逆に記憶しているイメージデータを必要に応じて出力する。
【００２２】
図３は図１のファクシミリ装置２０の主制御部１によって実行される、実施形態に係る短縮番号テーブル登録処理を示すフローチャートである。
【００２３】
図３のステップＳ１１において、まず、１つの相手方のファクシミリ装置に関して、短縮番号、電話番号、名称を操作部５を用いて入力し、次いで、発呼番号の先頭３桁が例えば１００，１１９，１１７，１７７などの特別番号（特番）であるか否かが判断され、ＹＥＳのときはステップＳ１５に進む一方、ＮＯのときはステップＳ１３に進む。ステップＳ１３において発呼番号の先頭４桁が「００００」であるか否かが判断され、ＹＥＳのときはステップＳ１４に進む一方、ＮＯのときはステップＳ１６に進む。ステップＳ１４において入力された電話番号中の「００００」を削除して当該電話番号を短縮番号テーブル７ａに格納した後、ステップＳ１５において使用回線を一般電話回線を当該電話番号に対応づけて短縮番号テーブルに格納する。一方、ステップＳ１６において、入力された電話番号中にポーズがあるか否かが判断され、ＹＥＳのときはステップＳ１７に進む一方、ＮＯのときはそのままステップＳ１８に進む。ステップＳ１７では、入力された電話番号中のポーズのデータを削除して短縮番号テーブル７ａに格納した後、ステップＳ１８に進む。さらに、ステップＳ１８では、使用回線としてＩＰ電話回線を選択して短縮番号テーブル７ａに格納する。そして当該短縮番号テーブル登録処理を終了する。
【００２４】
図４は図１のファクシミリ装置２０の主制御部１によって実行される、実施形態に係る発信処理を示すフローチャートである。
【００２５】
図４のステップＳ１において、まず、発呼要求があるか否かが判断され、ＹＥＳのときはステップＳ２に進む一方、ＮＯのときはステップＳ１に戻る。次いで、ステップＳ２において入力された短縮番号に基づいて、短縮番号テーブル７ａを検索して対応する情報を読み出し、ステップＳ３において使用回線はＩＰ電話回線か否かが判断され、ＹＥＳのときはステップＳ４に進む一方、ＮＯのときはステップＳ５に進む。ステップＳ４においてＩＰ電話回線を選択した後、ステップＳ６に進む。一方、ステップＳ５において一般電話回線を選択した後、ステップＳ６に進む。ステップＳ６において、短縮番号テーブル７ａから読み出した情報に基づき相手方の電話番号をダイヤルするダイヤル処理を実行し、ステップＳ７においてファクシミリ送信処理を実行し、ステップＳ８において回線開放して当該発信処理を終了する。
【００２６】
以上説明したように、本実施形態によれば、ファクシミリ装置２０の主制御部１は、図３の短縮番号テーブル登録処理において、使用回線がＩＰ電話回線であるときに（図３のステップＳ１２でＮＯ、ステップＳ１３でＮＯ）入力された相手方の電話番号においてポーズがあるとき（ステップＳ１６でＹＥＳ）当該ポーズを実質的に削除してその使用回線とともにＲＡＭ７内の短縮番号テーブル７ａに登録して記憶する。従って、短縮番号テーブル７ａへの登録時にポーズが入力されていても、使用回線がＩＰ電話回線であるとき、入力された相手方の電話番号におけるポーズを実質的に削除するので、ＩＰ電話回線を介して発呼するときに通信エラーを発生することなく正常に相手方の通信端末装置に対して発信することができる。
【００２７】
以上の実施形態においては、図３のステップＳ１７において電話番号中のポーズを除去して短縮番号テーブル７ａに格納しているが、本発明はこれに限らず、ポーズ情報を残すがそのポーズ情報に係るポーズ設定時間を例えば４秒以下の所定のしきい値時間以下に設定してもよい。
【００２８】
＜変形例＞
以上の実施形態においては、ファクシミリ装置２０の例について述べているが、本発明はこれに限らず、ＩＰ電話網、公衆電話網又は公衆デジタル回線網などの公衆網に接続された、例えば電話機、データ通信装置などを含む通信端末装置に適用することができる。
【００２９】
図５は、図４に代えて、図１のファクシミリ装置２０の主制御部１によって実行される、変形例に係る発信処理を示すフローチャートである。当該変形例では、図３におけるステップＳ１６及びＳ１７の処理が短縮番号テーブル７ａの相手方の電話番号の登録時に実行されないものとする。図５の発信処理が図４の発信処理に比較して、ステップＳ３とステップＳ４との間に、以下のステップＳ２１及びＳ２２を挿入したことを特徴としている。ステップＳ２１では、ダイヤルする相手方の電話番号にポーズがあるか否かが判断され、ＹＥＳのときはステップＳ２２に進む一方、ＮＯのときはステップＳ４に進む。ステップＳ２２では、ポーズの時間設定を一時的に０秒に設定した後、ステップＳ１８に進む。ここで、ポーズの時間設定を一時的に設定とは、今回のダイヤル処理では、当該ポーズ時間設定を用いるが、次回のダイヤル処理では元のデフォルト値に戻すことをいう。
【００３０】
以上説明したように、当該変形例では、ファクシミリ装置２０の主制御部１は、使用回線がＩＰ電話回線であるとき（図５のステップＳ３でＹＥＳ）、短縮番号テーブル７ａから読み出した相手方の電話番号におけるポーズの時間設定を一時的に０秒に設定し、これによりポーズを実質的に削除して発信するように制御する（ステップＳ２２）。従って、短縮番号テーブル７ａの相手方の電話番号においてポーズが登録されていても、使用回線がＩＰ電話回線であるとき、読み出した相手方の電話番号におけるポーズを実質的に削除するので、ＩＰ電話回線を介して発呼するときに通信エラーを発生することなく正常に相手方の通信端末装置に対して発信することができる。
【００３１】
以上の変形例においては、図５のステップＳ２２において、ポーズ時間設定を一時的に０秒に設定しているが、本発明はこれに限らず、例えば、ＩＰ電話のコールマネジャー装置の場合、ダイヤルの電話番号の桁間が４秒を超えたとき、ダイヤル終了と判断するので、ポーズ時間設定を例えば４秒以下の所定の時間に設定してもよい。すなわち、ポーズ時間設定のしきい値時間は好ましくは４秒又は０秒である。
【図面の簡単な説明】
【００３２】
【図１】本発明に係る実施形態である、ダイヤルする電話番号におけるポーズを処理する機能を有するファクシミリ装置２０の構成を示すブロック図である。
【図２】図１のＲＡＭ７内の短縮番号テーブル７ａの一例を示す図である。
【図３】図１のファクシミリ装置２０の主制御部１によって実行される、短縮番号テーブル登録処理を示すフローチャートである。
【図４】図１のファクシミリ装置２０の主制御部１によって実行される、実施形態に係る発信処理を示すフローチャートである。
【図５】図１のファクシミリ装置２０の主制御部１によって実行される、変形例に係る発信処理を示すフローチャートである。
【符号の説明】
【００３３】
１…主制御部、
２…画像読取部、
３…画像記録部、
４…表示部、
５…操作部、
６…ＲＯＭ、
７…ＲＡＭ、
７ａ…短縮番号テーブル、
８…画像メモリ、
１０…ファックスモデム、
１１…ＮＣＵ、
１３…バス、
２０…ファクシミリ装置、
Ｌ…公衆電話回線。
【図１】
2005130035.tif 000003
【図２】
2005130035.tif 000004
【図３】
2005130035.tif 000005
【図４】
2005130035.tif 000006
【図５】
2005130035.tif 000007